(57)【要約】【課題】注出容器の内容液を計量できる機能に加え、細かい部分の汚れを落とすことも可能な計量キャップを提供する。【解決手段】本発明の計量キャップは、内容液を注出する注出口を備える注出容器に対し、注出口を覆って倒立姿勢で装着されるものであって、底部３ａと、底部３ａにつながるとともに底部３ａとの間で注出容器から注出した内容液を計量する計量空間Ｋを区画する周壁部３ｂとを備え、周壁部３ｂの開口端部３ｈに、周壁部３ｂの軸線Ｏに沿って突出する形態をなす洗浄部を備える。【選択図】図１
2019100788.tif 000002
【特許請求の範囲】
【請求項１】
内容液を注出する注出口を備える注出容器に対し、該注出口を覆って倒立姿勢で装着される計量キャップであって、
底部と、該底部につながるとともに該底部との間で前記注出容器から注出した内容液を計量する計量空間を区画する周壁部とを備え、該周壁部の開口端部に、該周壁部の軸線に沿って突出する形態をなす洗浄部を備える計量キャップ。
【請求項２】
前記洗浄部を、前記周壁部の軸線に沿って突出する複数の突出体によって構成される刷毛部として設けてなる請求項１に記載の計量キャップ。
【請求項３】
前記刷毛部は、前記突出体が直線状に並ぶ列が、前記計量空間から外側に向かって複数列並ぶものである請求項２に記載の計量キャップ。
【請求項４】
前記周壁部は、前記底部につながる底部側周壁部が、前記開口端部が位置する端部側周壁部よりも大径である請求項１〜３の何れか一項に記載の計量キャップ。
【請求項５】
前記底部、前記底部側周壁部、及び該底部側周壁部につながるとともに前記端部側周壁部に連続する連結周壁部を備える第１計量キャップと、
前記洗浄部、前記端部側周壁部、及び前記連結周壁部を保持する連結筒を備えるとともに、前記注出容器に着脱可能に保持される保持部を備える第２計量キャップと、で構成される請求項４に記載の計量キャップ。
【発明の詳細な説明】
【技術分野】
【０００１】
本発明は、収容した内容液を注出口から注出する注出容器に装着され、取り外したときには内容液を計量することが可能な計量キャップに関するものである。
【背景技術】
【０００２】
収容した内容液を注出口から注出する注出容器に装着され、取り外したときには内容液を計量することが可能な計量キャップが知られている（例えば特許文献１参照）。この種の計量キャップには、例えば目盛が設けられていて、注出容器から注ぎ入れた内容液を計量することが可能である。また使用後は、注出容器に対して注出口を覆って倒立姿勢で装着されるように構成されていて、注出口を閉鎖することができる。
【先行技術文献】
【特許文献】
【０００３】
【特許文献１】実開平２−８７４５号公報
【発明の概要】
【発明が解決しようとする課題】
【０００４】
ところでこのような計量キャップは、洗濯用の液体洗剤などを収容する注出容器に装着され、衣類の量に合せて洗剤を計量し、そのまま洗濯機に投入するものとして多用されている。ここで衣類を洗濯する際は、洗濯機で洗う前に襟などを部分的に洗いたいことがあるが、そのためにブラシ等を取り出さなければならず手間を要している。
【０００５】
本発明はこのような問題点を解決することを課題とするものであり、注出容器の内容液を計量できる機能に加え、細かい部分の汚れを落とすことも可能な計量キャップを提供することを目的とする。
【課題を解決するための手段】
【０００６】
本発明は、内容液を注出する注出口を備える注出容器に対し、該注出口を覆って倒立姿勢で装着される計量キャップであって、
底部と、該底部につながるとともに該底部との間で前記注出容器から注出した内容液を計量する計量空間を区画する周壁部とを備え、該周壁部の開口端部に、該周壁部の軸線に沿って突出する形態をなす洗浄部を備える計量キャップである。
【０００７】
前記洗浄部を、前記周壁部の軸線に沿って突出する複数の突出体によって構成される刷毛部として設けることが好ましい。
【０００８】
前記刷毛部は、前記突出体が直線状に並ぶ列が、前記計量空間から外側に向かって複数列並ぶものであることが好ましい。
【０００９】
前記周壁部は、前記底部につながる底部側周壁部が、前記開口端部が位置する端部側周壁部よりも大径であることが好ましい。
【００１０】
また本発明の計量キャップは、前記底部、前記底部側周壁部、及び該底部側周壁部につながるとともに前記端部側周壁部に連続する連結周壁部を備える第１計量キャップと、
前記刷毛部、前記端部側周壁部、及び前記連結周壁部を保持する連結筒を備えるとともに、前記注出容器に着脱可能に保持される保持部を備える第２計量キャップと、で構成されることが好ましい。
【発明の効果】
【００１１】
本発明における計量キャップは、内容液を計量するための計量空間を区画する周壁部の開口端部に、周壁部の軸線に沿って突出する形態をなす洗浄部を備えている。そしてこのような形態をなす洗浄部を使って襟などを局所的に擦ることができるため、従来のようにブラシ等を取り出す必要もなく、手軽に細かい部分の汚れを落とすことができる。なお、周壁部における洗浄部を設けていない側が下方に位置するようにして計量キャップを傾ければ、従来のものと同様にして内容液を投入することができる一方、洗浄部を設けた側が下方に位置するようにして傾ければ、洗浄部を伝うようにして内容液を投入することもできる。また内容液が洗剤等である場合は、このようにして投入すると洗浄部にも内容液が付着するため、改めて内容液を付けることなくそのまま細かい部分の汚れを落とすことができるという利点もある。
【００１２】
通常、周壁部は厚みが薄い円筒状であることから、刷毛部を構成する突出体は周壁部に沿うように一列に並べて設けてもよいが、周壁部の厚みを部分的に広げる等して突出体を複数列設けることが好ましい。このようなものとしては、突出体が直線状に並ぶ列を、計量空間から外側に向かって複数列並べたり、突出体が計量空間から離反する向きに凹をなして並ぶ列を、計量空間から外側に向かって複数列並べたりすることが挙げられる。ここで、突出体が計量空間から離反する向きに凹をなして並ぶように刷毛部を構成する場合は、刷毛部を伝わらせて計量した内容液を投入する際、この凹状となる部分が樋のように機能するため、内容液が周囲に溢れにくくなる。
【００１３】
底部側周壁部が端部側周壁部よりも大径である場合は、単に周壁部が円筒状になる場合に比して、より多くの内容液を収容することができる。また、計量空間の容積は変えずに計量キャップの高さを抑えることもできるため、コンパクト化を図ることも可能である。
【００１４】
このように底部側周壁部を端部側周壁部よりも大径にする場合は、計量キャップを、底部、底部側周壁部、及び連結周壁部を備える第１計量キャップと、刷毛部、端部側周壁部、及び連結周壁部を保持する連結筒を備えるとともに注出容器に着脱可能に保持される保持部を備える第２計量キャップの２つの部材で構成することが好ましい。すなわち、２つの部材に分けることによって、例えば第１計量キャップは押出ブロー成形で形成し、第２計量キャップはインジェクション成形で形成するというように、形状に応じた最適な手法を採用することができる。特に、押出ブロー成形を採用する場合は、第１計量キャップの形状として様々なものを選択することができるため、デザインの幅を広げることができる。
【図面の簡単な説明】
【００１５】
【図１】本発明に従う計量キャップの一実施形態を、注出容器に装着した状態で示した側面視での断面図である。
【図２】図１に示す計量キャップの底面図である。
【図３】本発明に従う計量キャップの他の実施形態を、注出容器に装着した状態で示した側面視での断面図である。
【発明を実施するための形態】
【００１６】
以下、図面を参照しながら本発明に従う計量キャップの一実施形態について説明する。図１では、注出容器を構成するものとして、容器本体１と注出キャップ２を示している。また符号３は、一実施形態としての計量キャップを示している。
【００１７】
容器本体１はボトル状に形成されていて、内容液を収容することが可能である。また容器本体１は、円筒状の口部１ａを備えていて、口部１ａの外周面には、雄ねじ部１ｂが設けられている。
【００１８】
注出キャップ２は、口部１ａを取り囲む円筒状の外周壁２ａを備えていて、外周壁２ａの内周面には、雄ねじ部１ｂに対応する注出キャップ雌ねじ部２ｂを備えている。これにより注出キャップ２は、容器本体１にねじ込まれて保持されている。また外周壁２ａの上端には、径方向内側に向けて延在する連結壁２ｃが設けられている。連結壁２ｃには、口部１ａから離れる向きに延在する環状壁２ｄが設けられていて、環状壁２ｄの外面には、第２雄ねじ部２ｅが設けられている。そして連結壁２ｃの内縁部には、口部１ａに沿って延在する内周壁２ｆが設けられていて、内周壁２ｆには、周方向の一側からこれに対向する他側に向けて傾く傾斜壁２ｇが設けられている。傾斜壁２ｇには、筒状をなすとともに容器本体１の内容液を注出する注出口として機能する注出筒２ｈが設けられている。なお注出筒２ｈには、傾斜壁２ｇとともに注出筒２ｈを切り欠く切り欠き部２ｊが設けられている。
【００１９】
計量キャップ３は、注出キャップ２に対して倒立姿勢で着脱可能に装着されるものである。また計量キャップ３は、注出キャップ２から取り外して内容液を計量する際に下方に位置する円板状の底部３ａと、底部３ａの外縁部に連結する円筒状の周壁部３ｂとを備えていて、底部３ａと周壁部３ｂによって内容液を計量するための計量空間Ｋを区画している。本実施形態の周壁部３ｂは、図１に示すように、内周壁２ｆの径方向内側において内周壁２ｆに重なる位置まで延在している。なお図示は省略するが、周壁部３ｂには計量空間Ｋに注ぎ入れた内容液の量を示す目盛等が設けられている。
【００２０】
また周壁部３ｂには、計量キャップ３を注出キャップ２に対して着脱可能に保持する保持部３ｃが設けられている。本実施形態の保持部３ｃは、周壁部３ｂの外周面から径方向外側に向けて延在するフランジ３ｄと、環状壁２ｄを取り囲んでフランジ３ｄの外縁部に連結する保持部周壁３ｅと、第２雄ねじ部２ｅに対応する雌ねじ部３ｆで構成されている。なお保持部３ｃとしては、アンダーカットを利用するものなど、種々の構造が採用可能である。またフランジ３ｄには、環状壁２ｄの内周面に液密に当接する環状のシール壁３ｇが設けられている。
【００２１】
そして周壁部３ｂにおける開口端部３ｈには、周壁部３ｂの軸線Ｏに沿って突出する形態をなす洗浄部が設けられている。本実施形態における洗浄部は、軸線Ｏに沿って延在する複数の突出体によって形成される刷毛部３ｊとして設けられている。ここで刷毛部３ｊの長さは、図示のように計量キャップ３を注出キャップ２に装着した状態において、その先端が傾斜壁２ｇに接触しないように設定されている。また本実施形態の刷毛部３ｊは、周壁部３ｂと同種の材料であって周壁部３ｂに一体に連結する突起状の突出体によって構成されている。このような刷毛部３ｊを設ける手段としては、例えば溶融した合成樹脂素材を金型内に注入して固化させるインジェクション成形で形成することが挙げられるが、これに限られるものではない。例えば刷毛部３ｊは、周壁部３ｂとは別異の材料を使用した突出体によって構成されるものでもよい。また刷毛部３ｊは、図示したものより直径が小さい繊維状になる突出体によって構成されるものでもよい。なお、本実施形態の周壁部３ｂは、図２に示すように計量空間Ｋに面する側面が平面状になっていて、刷毛部３ｊを構成する突出体は、この側面の縁部まで設けられている。
【００２２】
このような構成になる計量キャップ３を使用して内容液を計量するには、注出キャップ２から取り外して上下逆さまに反転させ、注出筒２ｈから計量空間Ｋに向けて意図した量になるまで内容液を注ぎ込めばよい。
【００２３】
そして、計量した内容液を洗濯機等に投入した後は、刷毛部３ｊによって襟などを局所的に擦ることができるため、細かい部分の汚れを落とすことができる。また従来のようにブラシ等を取り出す必要もないため、使い勝手が良いという点でも利点がある。
【００２４】
ところで、計量した内容液を投入するにあたっては、刷毛部３ｊを設けていない側が下方に位置するようにして計量キャップ３を傾けてもよいし、刷毛部３ｊを設けた側が下方に位置するようにして、内容液が刷毛部３ｊを伝うようにしてもよい。すなわち、洗濯機の洗剤投入口は比較的狭いものの、刷毛部３ｊを伝うようにして内容液を投入すれば、刷毛部３ｊが内容液を誘導するように機能するため、意図した場所に注ぎ入れることができる。また、このようにして投入することによって刷毛部３ｊには内容液が付着するため、刷毛部３ｊを使って細かい部分の汚れ落としを行う場合にも、改めて内容液を付着させる必要がない。
【００２５】
なお、本実施形態の刷毛部３ｊは、突出体が直線状に並ぶ列が、計量空間Ｋから外側に向かって複数列並ぶものであるが、底面視において突出体がＶ字状やＵ字状をなすように並ぶものでもよい。このようなＶ字状やＵ字状をなす刷毛部３ｊによれば、計量した内容液を投入する際、刷毛部３ｊを下方に向けて計量キャップ３を傾けると、このＶ字状やＵ字状をなす内側部分が樋のように機能するため、投入先が狭い場所でも周囲に溢れにくくなる。
【００２６】
次に、本発明に従う他の実施形態の計量キャップについて、図３を参照しながら説明する。本実施形態の計量キャップも、前述の注出キャップ２に対して着脱可能に装着される。また本実施形態の計量キャップは、第１計量キャップ４と第２計量キャップ５の２つの部材で構成されている。
【００２７】
第１計量キャップ４は、円板状の底部４ａと円筒状の底部側周壁部４ｂとを備えている。なお、底部４ａと底部側周壁部４ｂは、前述の底部３ａ及び周壁部３ｂよりも大径に形作られている。また底部側周壁部４ｂには、周壁部３ｂと略同径になる連結周壁部４ｃが設けられている。そして連結周壁部４ｃの外周面には、第１計量キャップ４を第２計量キャップ５に対して回り止め保持するための回り止め凹部４ｄが設けられている。なお、連結周壁部４ｃの外周面には、後述する連結筒によって保持されるような段差も設けられている。このような第１計量キャップ４を形成する手段としては、例えばチューブ状に押し出した合成樹脂素材を金型で挟み、内部に空気を導入して中空品を形成する押出ブロー成形（ＥＢＭ成形）が挙げられる。
【００２８】
また第２計量キャップ５は、連結周壁部４ｃに連続する端部側周壁部５ａを備えている。本実施形態では、先に説明した周壁部３ｂに対応するものが底部側周壁部４ｂ、連結周壁部４ｃ、端部側周壁部５ａであって、底部４ａと、これら底部側周壁部４ｂ、連結周壁部４ｃ、及び端部側周壁部５ａとの間で計量空間Ｋを区画している。また端部側周壁部５ａは、連結周壁部４ｃを取り囲むとともに、連結周壁部４ｃの外面に設けた段差に係合する爪形状を有する円筒状の連結筒５ｂを備えている。ここで連結筒５ｂの内周面には、回り止め凹部４ｄに適合する回り止め凸部５ｆが設けられている。なお、回り止め凹部４ｄを第２計量キャップ５に設けるとともに、回り止め凸部５ｆを第１計量キャップ４に設けてもよいし、これらに限られずに他の回り止め機構を用いてもよい。更に端部側周壁部５ａは、第２計量キャップ５を注出キャップ２に対して着脱可能に保持する保持部５ｃを備えている。なお、本実施形態の保持部５ｃは、先に説明した保持部３ｃと同様の構成になるものである。また端部側周壁部５ａの開口端部５ｄには、先に説明した刷毛部３ｊと同様の刷毛部５ｅが設けられている。このような第２計量キャップ５を形成する手段としては、例えばインジェクション成形が挙げられる。
【００２９】
このような第１計量キャップ４と第２計量キャップ５で構成される計量キャップにおいては、底部４ａと円筒状の底部側周壁部４ｂが大径であるため、計量空間Ｋの容積が広がってより多くの内容液を計量することができる。また、例えば注出筒２ｈの高さを抑えれば、計量空間Ｋの容積は先に述べた実施形態の計量キャップから変えることなく第１計量キャップ４と第２計量キャップ５の高さを抑えることもできるため、容器本体１及び注出キャップ２を含めてコンパクト化を図ることも可能である。更に、押出ブロー成形を採用する場合は、例えば本実施形態の如き底部４ａと底部側周壁部４ｂを大径にすることのように、第１計量キャップ４の形状として様々なものを選択することができるため、デザインの幅を広げることができる。そして本実施形態の計量キャップにおいても、先に説明した計量キャップと同様、刷毛部５ｅによって細かい部分の汚れ落としを手軽に行うことができ、また計量した内容液を投入する際には刷毛部５ｅによって意図した場所に注ぎ入れることができる。
【００３０】
以上、本発明について具体的な実施形態を示しながら説明したが、本発明に従う計量キャップは上述した実施形態に限られるものではなく、特許請求の範囲に従う範疇で種々の変更を加えたものも含まれる。例えば洗浄部は、複数の突出体によって構成される刷毛部として設けられるものに限られず、へら状になるものでもよい。また上述した２つの実施形態間で構成を相互に入れ替えてもよい。
【符号の説明】
【００３１】
１：容器本体
１ａ：口部
１ｂ：雄ねじ部
２：注出キャップ
２ａ：外周壁
２ｂ：注出キャップ雌ねじ部
２ｃ：連結壁
２ｄ：環状壁
２ｅ：第２雄ねじ部
２ｆ：内周壁
２ｇ：傾斜壁
２ｈ：注出筒
２ｊ：切り欠き部
３：計量キャップ
３ａ：底部
３ｂ：周壁部
３ｃ：保持部
３ｄ：フランジ
３ｅ：保持部周壁
３ｆ：雌ねじ部
３ｇ：シール壁
３ｈ：開口端部
３ｊ：刷毛部（洗浄部）
４：第１計量キャップ
４ａ：底部
４ｂ：底部側周壁部
４ｃ：連結周壁部
４ｄ：回り止め凹部
５：第２計量キャップ
５ａ：端部側周壁部
５ｂ：連結筒
５ｃ：保持部
５ｄ：開口端部
５ｅ：刷毛部
５ｆ：回り止め凸部
Ｋ：計量空間
【図１】
2019100788.tif 000003
【図２】
2019100788.tif 000004
【図３】
2019100788.tif 000005